【手続補正書】
【提出日】平成30年10月29日(2018.10.29)
【手続補正１】
【補正対象書類名】特許請求の範囲
【補正対象項目名】請求項２
【補正方法】変更
【補正の内容】
【請求項２】
前記先端体（３）は上側止め要素（１０）をさらに備え、この上側止め要素（１０）は、前記ポール本体（２）の前記最下の管部分（６）上の肩部（１１）上か、又は、前記挿入要素（７）の前記上部軸方向部分（７ａ）の下端部（１２）上かに、好ましい方法で留め付けられ、かつ、前記エラストマーばね要素（９）用の上側止め部（１０ａ）を提供し、
前記エラストマーばね要素（９）は、前記端部取り付け部（４）の前記上端部（８）に配置される下側止め部（８ａ）と、前記上側止め部（１０ａ）との間に軸方向に配置され、
前記エラストマーばね要素（９）は、前記上側及び／又は下側止め部（１０ａ、８ａ）上に、好ましくは形状結合、特に、例えばダブテール結合等のタング・アンド・グルーブ結合（Ｎｕｔ−Ｋａｍｍ−Ｖｅｒｂｉｎｄｕｎｇ）によって、及び／又は、材料結合、特に接着結合、２成分射出成形法及び溶接によって留め付けられる
ことを特徴とする、請求項１に記載のポール。
【手続補正２】
【補正対象書類名】特許請求の範囲
【補正対象項目名】請求項３
【補正方法】変更
【補正の内容】
【請求項３】
さらに、半径方向の横ピン（１４）が配置され、これは、前記端部取り付け部（４）と、前記最下の管部分（６）又は前記挿入要素（７）、好ましくは、前記挿入要素（７）の中間部分（７ｂ）又は下部部分（７ｃ）を、前記ポールの長手軸（Ｓ）を横切る方向（Ｑ）に半径方向に突き抜け、この目的のために、前記半径方向の横ピン（１４）用の通り抜け開口部（１）が前記端部取り付け部（４）に配置され、
前記最下の管部分（６）又は前記挿入要素（７）の前記下部軸方向部分（７ｃ）は、前記半径方向横のピン（１４）を案内するために、それぞれの壁に、少なくとも１つの軸方向の細長い穴（１３）を、好ましくは、周方向（Ｕ）に互いに対向して配置される２つの細長い穴（１３）を備え、前記半径方向の横ピン（１４）は、軸方向の力（Ｋ）が前記ポール本体（２）に上から作用すると、前記少なくとも１つの軸方向の細長い穴（１３）の境界内部で、前記弾性要素（９）のばね力とは逆に、軸方向に移動可能となるように取り付けられ、
前記細長い穴（１３）は、好ましくは、０．５〜３ｃｍの長さを有し、特に好ましくは０．７〜１．５ｃｍ、最も好ましくは０．８〜１．３ｃｍの長さを有し、
前記細長い穴の軸方向長さは、好ましくは、それぞれの末端位置に達したときに、前記細長い穴から排出されないように、ばねの可能な運動距離より長い
ことを特徴とする、請求項１又は２に記載のポール。
【手続補正３】
【補正対象書類名】明細書
【補正対象項目名】００３０
【補正方法】変更
【補正の内容】
【００３０】
図１に示す好ましい例示の実施形態は、先端ばね機構の構造的に非常に単純な変形を示す。この場合、最下のポールの管部分６は細くなるように形成されており、すなわち、肩部１１を有し、肩部１１の上の最下の管部分６の外径ｄ２が、肩部１１の下の最下の管部分６の外径ｄ３より大きい。この肩部１１は、先端体３用の上側止め要素１０に対する上側止め部を形成する。先端体３は、実質的には、３つの主要素、つまり、軸方向に下から上へと見て、端部取り付け部４、エラストマーばね要素９及び上側止め要素１０から形成される。主要素は全て、最下の管部分６の下部部分６ａを受け入れるために、それぞれ１つの受け入れ開口部（５ａ、５ｂ、５ｃ）を備え、これらは互いに対し同軸である。従って、先端体３は、いわば、その３つの主要素によって、最下の管部分６の下部部分６ａの周りに係合する。上側止め要素１０は、図１ｂの断面図では、台形に示されており、これは、上に向かって半径方向内側に傾斜する外表面又は外側面を周囲に備えた止めリングである。上側止め要素１０の下側の平らな面は、上側止め要素１０に軸方向下方につながるエラストマーばね要素９のための上側止め部１０ａを提供し、図１の本例示の実施形態においては、ポールの長手軸Ｓに対し横に９０度の角度で半径方向に延びる。上側止め要素１０の内径は、この場合、実質的には、周りに係合する最下のポールの管部分６の下部部分６ａの外径ｄ３に相当する。この場合、上側止め要素１０、及び、場合によってはエラストマーばね要素９も、接着結合によってポールの管部分上に留め付けることができる。これに代えて、材料結合、熱溶着（Ｈｅｉｓｓｆｕｅｇｕｎｇ）（超音波溶接又は他の方法）も可能である。エラストマーばね要素９は、いわば、中空円筒として形成され、これは、面１０ａに下方につながる。この場合、エラストマーばね要素９の半径方向の厚みｄ１は０．５〜０．７ｃｍであり、エラストマーばね要素９の軸方向の長さは１．５〜２ｃｍである。
【手続補正４】
【補正対象書類名】明細書
【補正対象項目名】００３５
【補正方法】変更
【補正の内容】
【００３５】
この場合、下部管部分６は端部取り付け部４の内側で下方に動かされ、同時に、静止位置で軸方向の細長い穴１３の下側止め部上に位置する半径方向の横ピン１４が、軸方向の細長い穴１３の上端の上側止め位置のすぐ手前に移動する。結果として、軸方向の動作、すなわちポールの緩衝動作は、エラストマーばね要素９のサイズや材料、従ってばね力に依存し、その移動距離は、止まり穴５ｃの深さによって範囲が決められる。細長い穴１３の軸方向の長さは、それぞれの末端位置に達したときに細長い穴から排出されないように、ばねの可能な運動距離より適度に長い。
【手続補正５】
【補正対象書類名】明細書
【補正対象項目名】００４２
【補正方法】変更
【補正の内容】
【００４２】
図３は、第３の好ましい例示の実施形態を示す。この例示の実施形態においては、最下の管部分６が細くなるように形成されていない。しかしながら、軸方向の細長い穴１３は、やはり、挿入要素７の下部部分７ｃに一体的に形成されている。管部分６は、図１及び２の２つの前述の例示の実施形態より短く形成される。最下の管部分６の下端１７は、先端体３の上側止め要素１０の上側で終わる。図３ｂの挿入要素７だけを拡大して示した図３ｃを見ると、挿入要素の上部部分７ａがその周囲に構造１８を備え、この構造は互いから軸方向に間隔をあけて配置される周りを取り巻く環状の切り込みによって提供されていることが分かる。挿入要素７の上部部分７ａの最下端部１２では、挿入要素７の中間部分７ｂへの移行部に配置される肩部１９の手前に、円周状のフランジ３１が配置され、このフランジの直径ｄ８は上部部分７ａの残りの部分の外径ｄ４より大きい。最下の管部分６の下端１７は、挿入要素７が最下の管部分６内に下から差し込まれると、前記フランジ３１上に載る。挿入要素７の上部部分７ａの下端部１２上の前記フランジ３１の下面は、先端体３のための、又は上側止め要素１０の上面のための上側止め部を形成する。挿入要素７の中間部分７ｂと下部部分７ｃは、挿入要素７の上部部分の外径ｄ４より小さい外径ｄ５又はｄ６を有し、中間部分７ｂと下部部分７ｃは、本例示の実施形態では同じ外径ｄ５、ｄ６を有する。挿入要素７は図２より長く形成されており、３つの部分７ａ、７ｂ、７ｃの全部にわたるその全長は、約３〜１５ｃｍ、好ましくは５〜１２、特に７〜１０ｃｍである。細長い穴１３は、挿入要素７のより直径の小さい区間のほぼ真ん中、すなわち、上部部分７ａの下端部１２上のフランジ３１と挿入要素７の下端３２との間の区間のほぼ真ん中に位置する。この例示の実施形態では、中間部分７ｂは、挿入要素７の、エラストマーばね要素９と上側止め要素１０が周りに係合する領域を形成する。
【手続補正６】
【補正対象書類名】明細書
【補正対象項目名】００４３
【補正方法】変更
【補正の内容】
【００４３】
図４は、第４の好ましい例示の実施形態を示す。この場合、挿入要素７は、図３の第３の例示の実施形態と同じに形成される。ここでの違いは、上側止め要素１０及び端部取り付け部４でのエラストマーばね要素９の留め付け方である。この接続は、ここでは、ダブテール結合によって得られ、それぞれ隣接する要素が形状結合にて互いにはまり合うように、上側止め要素１０の軸方向延長部１０ｂがエラストマーばね要素９の中に下向きに係合し、端部取り付け部４の上端部８上の上側軸方向延長部８ｂがエラストマーばね要素９の中に上向きに係合する。２つの延長部８ｂ、１０ｂは、この場合、それぞれ斜めの側面を有する。この場合、さらに、接着結合（又は、これに代えて、射出成形、溶接等による材料結合）を、当接する境界面に提供することもできる。この第４の実施形態では、エラストマーばね要素９は、その半径方向内側の面から挿入要素７までの間隔３３を円周状に有する。図４ｅは、第５の好ましい実施形態を示し、これは、第４の実施形態と比べて、エラストマーばね要素９の上側止め要素１０及び端部取り付け部４での留め付けのさらなる代替方法である。ここでも形状結合が提供されるが、端部取り付け部４の上側軸方向延長部８ｂと、上側止め要素１０の下側軸方向延長部１０ｂの側面は傾斜しておらず、それぞれ、エラストマーばね要素９に、より小さな直径のネック部分によって係合し、このネック部分にはより大きい直径のフランジが続き、このフランジは、その上面と下面によってポールの長手軸Ｓに対しほぼ横向きで、支持基盤に対し平行に延びる。この場合もまた、エラストマーばね要素９と、上側止め要素１０との上向きの、又は端部取り付け部４との下向きの良好なはまり合いが生まれる。さらに、この場合もまた、隣接する止め面での接着結合を提供することができる（この場合も、これに代わるものとして、溶接、射出成形、超音波溶接等による材料結合が可能である）。
【手続補正７】
【補正対象書類名】明細書
【補正対象項目名】００５０
【補正方法】変更
【補正の内容】
【００５０】
図２による例示の実施形態の場合、このような緩衝要素３４を挿入要素７の底に留め付けることができる。また、半径方向の横ピン１４の下側でそこからいくらか離れた挿入要素７の最下領域を２成分構造にして、空洞５の方に向く下側領域をエラストマー材料で構成することもできる。図２ｃでは、このオプションを、点線３６によって概略的に示し、この点線の下側に示す挿入要素７の領域を、エラストマー材料から構成することができ、緩衝要素３４に対応する。
【手続補正８】
【補正対象書類名】明細書
【補正対象項目名】００５１
【補正方法】変更
【補正の内容】
【００５１】
１        １４のための４内の通り抜け開口部
２        ポール本体
３        先端体
４        端部取り付け部
５        ４の５ｃ内で６ａが、又は４の５ｃ内で７ｃが可動なための自由空洞
５ａ      １０内の中央受け入れ開口部
５ｂ      ９内の中央受け入れ開口部
５ｃ      ４内の中央受け入れ開口部
６        ２の最下の管部分
６ａ      ６の下部部分
７        挿入要素
７ａ      ７の上部軸方向部分
７ｂ      ７の中間軸方向部分
７ｃ      ７の下部軸方向部分
８        ４の上端部
８ａ      ８上の９のための下側止め部
８ｂ      ８の上側軸方向延長部
９        エラストマーばね要素
１０      上側止め要素
１０ａ    １０上の９のための上側止め部
１０ｂ    １０の下側軸方向延長部
１１      ６上の肩部
１２      ７ａの下端部
１３      軸方向の細長い穴
１４      半径方向の横ピン
１５      ４の下端部
１６      １５上の２１内の硬質金属ピン
１７      ６の下端
１８      ７ａ上の周囲構造物
１９      ７上の肩部
２０      ６内の空洞
２１      １６のための１５の挿入部
２２      ４上のねじ山部分
２３      ９上の周囲凹所
２４      ポールプレート
２５      ８の下側の第１の肩部
２６      ８の下側の第２の肩部
２７      ２２と２６の間の領域
２８      ２５と２６の間の短い領域
２９      １５の空洞
３０      ５ｃの下端
３１      １２上の７ａの円周フランジ
３２      ７の下端
３３      ９上の円周状の間隔
３４      緩衝要素
３５      ３４のガイドタップ
３６      概略の仕切り線、エラストマー材料の下側
ｄ１      ９の半径方向の厚み
ｄ２      １１の上側の６の外径
ｄ３      １１の下側の６の外径
ｄ４      ７ａの外径
ｄ５      ７ｂの外径
ｄ６      ７ｃの外径
ｄ７      ５内の４の内径
Ｋ        力の方向
Ｌ１      ４の軸方向長さ
Ｌ２      ９の軸方向長さ
Ｌ３      ７の軸方向長さ
Ｑ        １４の延長方向
Ｒ        相対運動
Ｓ        ポールの長手軸
α        ８ａ／１０ａとＳの間の直角